(57)【特許請求の範囲】
【請求項１】
永久磁石及び該永久磁石の磁力を非接触で検出する磁気センサを備え、前記永久磁石及び磁気センサの相対位置の変化により電圧値の直線的な変化を出力するインヒビタスイッチであって、
前記永久磁石又は磁気センサの一方を、自動変速機のマニュアルバルブを連動させて該自動変速機の変速レンジ位置を切り替えるためのマニュアルバルブシャフト側に取り付け、同他方を前記自動変速機のトランスミッションケース側に取り付け、
前記永久磁石は、Ｓ極及びＮ極の磁気的な境界面を有して前記マニュアルバルブシャフトと一体回転可能に支持された非磁性体の可動子にリング状に取り付けられると共に前記磁気センサに対し前記境界面を基準位置として配置されて該磁気センサに対し前記境界面の両側方向に相対回転可能であり、
前記磁気センサは、前記トランスミッションケース側に固定支持された非磁性体の極盤に取り付けられ、
前記変速レンジ位置に対応する電圧値の出力により前記自動変速機の変速レンジ位置を検出可能にすることを特徴とするインヒビタスイッチ。
【請求項２】
請求項１記載のインヒビタスイッチであって、
前記極盤と可動子との間に、前記磁気センサに対する永久磁石の相対回転を設定角度内とするストッパを設けたことを特徴とするインヒビタスイッチ。
【請求項３】
請求項１又は２記載のインヒビタスイッチであって、
前記磁気センサのリード端子は、前記極盤の外面に形成された凹部内に端末が引き出され、前記極盤に支持された外部接続用のコネクター端子の端末が前記凹部内に引き出されて前記リード端子の端末に電気的に接続され、
前記凹部を、樹脂で封止したことを特徴とするインヒビタスイッチ。
【請求項４】
請求項１又は２記載のインヒビタスイッチであって、
前記極盤を、樹脂で成型し、
前記磁気センサを、前記極盤内にインサート成形により埋設配置したことを特徴とするインヒビタスイッチ。
【請求項５】
請求項１記載のインヒビタスイッチであって、
前記磁気センサは、前記永久磁石の磁気的な境界面の数に応じて複数設けられたことを特徴とするインヒビタスイッチ。
【発明の詳細な説明】
【０００１】
【発明の属する技術分野】
本発明は、自動変速機の変速レンジ位置を検出するためのインヒビタスイッチに関する。
【０００２】
【従来の技術】
従来より、インヒビタスイッチとしては、自動変速機のマニュアルバルブシャフトの軸回転と共に回転する可動接点を、前記自動変速機のトランスミッションケース側に取り付けられた固定接点に対し摺動させ、固定接点に対する可動接点の位置に応じて自動変速機の変速レンジの切り替えを検出できるようにしたものがある。このような摺動接点による検出の場合には、接点表面の接触コントロールが非常に困難なことから、ノイズ信号が多く、マイクロコンピュータでの制御に困難を伴うという問題があった。
【０００３】
これに対し、無接点方式のインヒビタスイッチは、接触によるノイズ信号はなくマイクロコンピュータの制御に適している。この無接点方式のインヒビタスイッチとしては、各変速位置毎に磁気センサを設け各磁気センサのオン／オフ信号により検出するもの、磁気センサの数を減らし磁気センサの信号の組み合わせで検出するものがある。
【０００４】
各変速位置毎に磁気センサを設けるものとしては、例えば実開昭５５−１０１６２３号公報に記載された図１８〜図２０に示すものがある。まずその構造を簡単に説明すると、自動変速機１０１のマニュアルバルブシャフト１０３に回転子１０５が取り付けられ、回転子１０５に永久磁石１０７が支持されている。又、自動変速機１０１のハウジング１０９側には、変速レンジ位置に応じて配置された磁気センサ１１１が支持されている。この磁気センサ１１１は、リードスイッチで構成されている。
【０００５】
そして、変速レンジの切り替えに応じたマニュアルバルブシャフト１０３の回転により永久磁石１０７が移動すると、この永久磁石１０７が対向する何れかの磁気センサ１１１の接点が閉じられ、各磁気センサ１１１に接続されたそれぞれ異なる抵抗値を読み込むことによって、何れかの変速レンジ位置が検出できるようになっている。
【０００６】
【発明が解決しようとする課題】
しかしながら、このような構造では、各変速位置毎に磁気センサ１１１を設けなければならず、その数が多く、インヒビタスイッチの小型化に限界があった。このため、インヒビタスイッチをトランスミッションケース内に配置することはほとんど困難となっていた。
【０００７】
また、前記構造のインヒビタスイッチでは、正確な検出に限界があるという問題があった。即ち、変速操作によってマニュアルバルブレバー１０３が回転し、これに応じて永久磁石１０７が各磁気センサ１１１間を移動するとき、その中間位置においてはその前後の磁気センサ１１１が何れもオフとなるか、双方ともオンになるかの状態が起こり得る。磁気センサ１１１が何れもオフの場合には、自動変速機１０１の変速レンジ位置がどこにあるのか検出することができず、また双方ともオンになる場合にはその何れの位置に変速レンジがあるのかを検出することができないものとなる。
【０００８】
このため、永久磁石１０７が前記のような中間位置においてインヒビタスイッチに故障が起こった場合に、どの変速レンジ位置で故障したのかを検出することができないなど、その検出の精度が低く、より信頼性の高い検出が望まれていた。
【０００９】
前記磁気センサの数を減らし磁気センサの信号の組み合わせで検出するものでは、各変速レンジ位置でのセンサ信号の組み合わせを変えることによって、センサ故障時の信頼性を高めることができる。即ち、上記各変速レンジ毎の磁気センサ１１１をオン／オフさせる構造では、ショートなどの故障によって何れかの磁気センサ１１１が接続されるとシフトレバーをＮ（ニュートラルレンジ）からＤ（ドライブレンジ）へ操作したにも拘わらず、Ｐ（パーキングレンジ）の信号が出力されること等もあるが、前記のように信号の組み合わせを用いると誤った出力を抑制することができる。
【００１０】
しかし、単純に変速レンジ位置に応じた種類の信号の組み合わせを設けるだけであると、何れかの磁気センサの故障によっては、異なる変速レンジ位置で組み合わせモードの共通化を招き、信号の正誤を区別できない恐れがあるため、通常は組み合わせ信号に１ビット増加した組み合わせ信号を用いて組み合わせモードの共通化を防止している。
【００１１】
即ち、故障によって異なる変速レンジで信号の組み合わせモードが共通化し、Ｐから直接Ｎへ変速レンジが変わったとの信号が出力される等の場合は、Ｐから直接Ｎに行くことはあり得ない等という条件をマイクロコンピュータに記憶させることで信号の正誤を区別はできるが、Ｐ等における端部においてはシフトレバーを操作していないのに変速レンジがＰから動かされたという信号が出され、正誤を区別できない恐れがある。このため通常は組み合わせ信号に１ビット増加して何れかの磁気センサが故障しても各検出位置において一致する信号を出さないようにしている。従って、それだけ磁気センサが増加し、やはりインヒビタスイッチが大型になるという問題がある。
【００１２】
また、中間位置での検出精度が低いという問題は、上記同様となっている。
【００１３】
本発明は、より小型化を図ることができると共に、検出の信頼性を著しく高めることのできるインヒビタスイッチの提供を課題とする。
【００１４】
【課題を解決するための手段】
請求項１の発明は、永久磁石及び該永久磁石の磁力を非接触で検出する磁気センサを備え、前記永久磁石及び磁気センサの相対位置の変化により電圧値の直線的な変化を出力するインヒビタスイッチであって、前記永久磁石又は磁気センサの一方を、自動変速機のマニュアルバルブを連動させて該自動変速機の変速レンジ位置を切り替えるためのマニュアルバルブシャフト側に取り付け、同他方を前記自動変速機のトランスミッションケース側に取り付け、前記永久磁石は、Ｓ極及びＮ極の磁気的な境界面を有して前記マニュアルバルブシャフトと一体回転可能に支持された非磁性体の可動子にリング状に取り付けられると共に前記磁気センサに対し前記境界面を基準位置として配置されて該磁気センサに対し前記境界面の両側方向に相対回転可能であり、前記磁気センサは、前記トランスミッションケース側に固定支持された非磁性体の極盤に取り付けられ、前記変速レンジ位置に対応する電圧値の出力により前記自動変速機の変速レンジ位置を検出可能にすることを特徴とする。
【００１７】
請求項２の発明は、請求項１記載のインヒビタスイッチであって、前記極盤と可動子との間に、前記磁気センサに対する永久磁石の相対回転を設定角度内とするストッパを設けたことを特徴とする。
【００１８】
請求項３の発明は、請求項１又は２記載のインヒビタスイッチであって、前記磁気センサのリード端子は、前記極盤の外面に形成された凹部内に端末が引き出され、前記極盤に支持された外部接続用のコネクター端子の端末が前記凹部内に引き出されて前記リード端子の端末に電気的に接続され、前記凹部を、樹脂で封止したことを特徴とする。
【００１９】
請求項４発明は、請求項１又は２記載のインヒビタスイッチであって、前記極盤を、樹脂で成型し、前記磁気センサを、前記極盤内にインサート成形により埋設配置したことを特徴とする。
【００２０】
請求項５の発明は、請求項１記載のインヒビタスイッチであって、前記磁気センサは、前記永久磁石の磁気的な境界面の数に応じて複数設けられたことを特徴とする。
【００２１】
【発明の効果】
請求項１の発明では、マニュアルバルブシャフトの軸回転に応じた永久磁石及び磁気センサの相対位置の変化により、電圧値の直線的な変化を出力し、変速レンジ位置に対応する電圧値の出力により自動変速機の変速レンジ位置を検出可能としたため、自動変速機の変速レンジ位置を電圧値の変化によって確実に検出することができる。又、各変速レンジ位置に移行する中間状態においても、直線的な電圧値の変化を出力することができ、現在どの変速レンジ位置間を移行しているのかを正確に検出することができ、これによってインヒビタスイッチが突然故障した場合でも、その時の位置、変速方向を正確に判断して自動変速機の変速レンジを適切に制御することができ、信頼性を著しく高めることができる。さらに、磁気センサの数も１個にすることが可能であり、全体的に大幅な小型化を図ることができる。
【００２２】
また、永久磁石はマニュアルバルブシャフトと一体回転可能に支持された非磁性体の可動子に取り付けられ、磁気センサはトランスミッションケース側に支持された非磁性体の極盤に取り付けられたため、マニュアルバルブシャフトの軸回転に応じて永久磁石が磁気センサに対して相対回転し、これによって電圧値の直線的な変化を正確に出力することができ、より正確な検出を行なうことができる。
【００２３】
さらに、永久磁石はＳ極及びＮ極の磁気的な境界面を有し、永久磁石は磁気センサに対し境界面を基準位置として配置されると共に、磁気センサに対し境界面の両側方向に相対回転するため、電圧値の直線的な変化を広い範囲にわたって確保することができ、各変速レンジ位置での電圧値の変化の区別を容易とし、より正確な検出を行うことができる。
【００２４】
請求項２の発明では、請求項１の発明の効果に加え、極盤と可動子との間に磁気センサに対する永久磁石の相対回転を設定角度内とするストッパを設けたため、電圧値を直線的な変化の範囲内で確実に検出することができ、より正確な検出を行うことができる。
【００２５】
請求項３の発明では、請求項１又は２の発明の効果に加え、磁気センサのリード端子は極盤の外面に形成された凹部内に端末が引き出され、極盤に支持された外部接続用のコネクター端子の端末が凹部内に引き出されて、リード端子の端末に電気的に接続され、凹部を樹脂で封止したため、磁気センサを極盤に対し後付けすることができ、組付けの自由度を増大することができる。
【００２６】
請求項４の発明では、請求項１又は２の発明の効果に加え、極盤を樹脂で成形し、磁気センサを極盤内にインサート成形により埋設配置したため、極盤内にオイル等が侵入したとしても、磁気センサに掛かることはなく、より正確な検出を可能にする。また、磁気センサの組み付け位置の精度が向上し、より正確な検出を可能とする。
【００２７】
請求項５の発明では、請求項１の発明の効果に加え、磁気センサは永久磁石の磁気的な境界面の個数に応じて複数設けられているため、それぞれの磁気センサで電圧値の直線的な変化を検出し、これら電圧値を統合して変速レンジ位置を検出することができ、より正確な検出を行うことができる。又、何れかの磁気センサが故障したとしても、他の磁気センサで電圧値の直線的な変化を正確に出力することができ、変速レンジ位置の検出を継続することができる。
【００２８】
【発明の実施の形態】
（第１実施形態）
図１は、本発明の第１実施形態に係るインヒビタスイッチ１の配置位置を示している。この図１では、インヒビタスイッチ１を３つ同時に示しているが、これら３つのインヒビタスイッチ１が同時に設けられるのではなく、いずれかの位置に選択して配置されるものである。
【００２９】
前記磁気センサ１は、自動変速機３のマニュアルバルブシャフト５側と、自動変速機３のトランスミッションケース７側との間に取り付けられている。前記マニュアルバルブシャフト５は、前記自動変速機３のマニュアルバルブを連動させて自動変速機３の変速レンジ位置を切り替えるためのものである。マニュアルバルブシャフト５には、連接レバー９を介してシフトレバー１１が連動連結されている。従って、シフトレバー１１を操作すると、連接レバー９を介しマニュアルバルブシャフト５が回転し、このマニュアルバルブシャフト５の回転によりマニュアルバルブを連動させて自動変速機３の変速レンジ位置を切り替えることができる。なお、自動変速機３には、エンジンからの出力を入力するインプットシャフト１３、出力を行うアウトプットシャフト１５、インプットシャフト１３からアウトプットシャフト１５へ変速して回転を支える変速機構１７が備えられている。
【００３０】
前記何れかの位置に取りつけられたインヒビタスイッチ１は、インヒビタスイッチ１の全体断面を示す図２、図２のＳＡ−ＳＡ断面を示す図３のように、永久磁石１９及び該永久磁石１９の磁力を非接触で検出する磁気センサ２１を備えている。
【００３１】
前記永久磁石１９は、ＰＰＳ樹脂にネオジムを加えて成形したプラスチック磁石であり、圧縮成形工法、射出成形工法などでリング状に形成されている。永久磁石１９の一部には、凹部２０が形成されている。この永久磁石１９は非磁性体の可動子２３に一体回転可能に支持されている。
【００３２】
前記可動子２３は、例えばＰＰＳ樹脂、ＰＢＴ樹脂、ナイロンなどによって成形され、この可動子２３には、凸部２４が形成されている。組付時に前記凹部２０に凸部２４を軸方向に嵌合させることによって、可動子２３に対する永久磁石１９の回転方向の位置決めがなされている。なお、永久磁石１９に射出成形用磁性材料を使用し、永久磁石１９と可動子２３とを二重成形、二色成形により一体成形して位置精度を向上させることもできる。
【００３３】
前記可動子２３は、前記マニュアルバルブシャフト５に嵌合して固定され、一体的に回転する構成となっている。従って、前記永久磁石１９は、可動子２３を介し、マニュアルバルブシャフト５側に取り付けられた構成となっている。可動子２３には、肩部２５，２７が軸方向に突設されている。又、前記永久磁石１９とほぼ同一外周位置において、ストッパ用の凸部２９が突設されている。
【００３４】
前記磁気センサ２１は、例えばホール素子、ホールＩＣ、ＭＲ素子などによって構成され、ホール素子の場合は、外付けの増幅回路が設けられ、またＭＲ素子の場合も外付け増幅回路が設けられる場合もある。
【００３５】
前記磁気センサ２１は、前記永久磁石１９の外周側に所定クリアランスをもって配置され、非磁性体の極盤３１の凹部３４に組み付けられる。なお、極盤３１は、図１で示す前記トランスミッションケース７の内壁あるいは外壁側に支持されている。
【００３６】
前記磁気センサ２１のリード端子３３は、極盤３１の挿通孔３５から極盤３１の外面に形成された凹部３７内に、その端末３９が引き出されている。又、前記極盤３１にインサート成形によって一体的に支持された外部接続用のコネクタ端子４１の端末４３が前記凹部３７内に引き出され、前記リード端子３３の端末３９に半田等によって電気的に接続されている。前記凹部３７は、エポキシ樹脂、ウレタン樹脂等の樹脂４５によって封止されている。
【００３７】
前記極盤３１は、本体４７と蓋体４９とが接合面５１において接合されたものである。この接合は、例えば図４の一部側面図のように、蓋体４９及び本体４７に設けた周方向所定間隔のフランジ部４８（５０）相互をビス５２で締結することにより行っている。但し、本体４７と蓋体４９とは、超音波溶着、摺動溶着などの工法により溶着しても良い。
【００３８】
前記極盤３１には、図２、図３のように支持部５３，５５が設けられ、該支持部５３，５５の金属ブッシュ５７，５９によって極盤３１は前記マニュアルバルブシャフト５の外面に回転自在に支持されている。
【００３９】
前記極盤３１の内面側には、周方向の位置決め面６１，６３と、軸方向の位置決め面６５，６７とが設けられ、前記可動子２３の肩部２５，２７が位置決め面６１，６３及び６５，６７によって周方向及び軸方向に相対的に位置決められている。さらに、前記極盤３１には、前記凸部２９と共にストッパを構成する凹部６９が設けられている。この凸部２９及び凹部６９によって構成されるストッパは、磁気センサ２１に対する永久磁石１９の相対回転を設定角度内とするものである。
【００４０】
前記永久磁石１９は、図５のようにリング状に一体に形成されたものに対し、Ｎ極，Ｓ極を有するように着磁されている。このＮ極，Ｓ極の中央が磁気的な境界面７１となっている。そして前記永久磁石１９は、前記磁気センサ２１に対し前記磁気的な境界面７１を基準位置として配置されると共に、磁気センサ２１に対し境界面７１の両側方向に矢印のように相対回転するように設定されている。この相対回転による出力電圧の変化は、例えば図６のようになっている。この変化のうち、±９０度近辺において、電圧値の直線性はなくなるが、その間のほぼ１５０度の範囲では電圧値の直線的な変化を出力できるようになっている。
【００４１】
そして、前記凸部２９及び凹部６９によるストッパは、この直線的な範囲での回転を規制するもので、図７のように凹部６９が一定範囲の円弧状に形成されたものである。なおストッパにより規制される回転角度は、任意に選択できる。
【００４２】
そして、図１のシフトレバー１１の操作によって、連接レバー９を介し、マニュアルバルブシャフト５を回転させると、マニュアルバルブが動作し、変速機構１７が指示された変速レンジ位置に切り替えられる。このとき磁気センサ２１に対し永久磁石１９が相対回転し、リード端子３３、コネクタ端子４１を介し制御部に電圧値の直線的な変化が出力される。この場合の変速レンジ位置Ｐ，Ｒ，Ｎ，Ｄ，３，２，１との関係を図７に示している。
【００４３】
例えばＰレンジからＲレンジへ切り替わる境界値は３．７００Ｖ、ＲレンジからＮレンジへの境界値は同様に２．９００Ｖ、以下同様にＮレンジからＤレンジは２．５００Ｖ、Ｄレンジから３レンジへは２．１００Ｖ、３レンジから２レンジへは１．７００Ｖ、２レンジから１レンジへは１．３００Ｖとなっている。但し、この数値は一例であって、その設定は個々の車によって自由に設定することができる。
【００４４】
このように本発明の実施形態に係るインヒビタスイッチ１では、自動変速機３の変速レンジ位置を永久磁石１９と磁気センサ２１とにより非接触で検出することができ、スイッチ部分の摩耗がなく、摺動部分のノイズ発生がないなど信頼性が著しく向上し、検出精度の安定化を図ることができる。しかも永久磁石１９及び該永久磁石１９の磁力を非接触で検出する磁気センサ２１によって、電圧値の直線的な変化を出力することができるため、各変速レンジ位置における検出電圧値の違いにより、変速レンジ位置を正確に検出することができる。
【００４５】
また、ＮレンジからＤレンジへ切り替えられているときに、Ｒレンジの信号が誤って出力されるようなことはなく、変速レンジ位置の切り替え検出を正確に行うことができる。
【００４６】
さらに、変速レンジ位置の変更が行われている中間位置においても、電圧値の直線的な変化を出力することができるため、シフトレバー１１によって現在どの変速レンジ位置方向へ切り替えられているのかも検出することができる。従って、例えばＮレンジからＤレンジへ切り替えられている途中において異常信号が発生し、故障したと判断されたときは、制御装置によって自動変速機３の変速レンジを強制的にＤレンジに固定したり、Ｎレンジへ戻したりすることができる。Ｄレンジへ固定するときは、そのときの運転者の操作意志と合致させることができ、走行を継続することが可能となる。従って、故障と判断した運転者は自動車をそのまま修理工場へ自走によって運ぶことができる。Ｎレンジへ固定したときは、他車による牽引によって修理工場等へ運ぶことができる。他の変速レンジ位置間における故障モードにおいても、現在どの変速レンジ方向へ操作されているのかを検出することによって、上記同様の制御を行うことが可能となる。
【００４７】
また、電圧値の直線的な変化の出力であるため、変速レンジ位置がさらに増加したとしても、対応する電圧値を分割するだけで容易に対処することができ、インヒビタスイッチ１の大型化を招くことは全くない。
【００４８】
磁気センサ２１は、基本的には１つでよく、構造が極めて簡単であり、全体的に大幅な小型化を図ることができる。このため図１のように、他の部品が密集してスペース的にあまり余裕のないミッションケース７の内側においても容易に配置することが可能となり、設計の自由度を大幅に増大することができる。ミッションケース７内に配置したときには、ミッションケース７そのものによってインヒビタスイッチ１を外部から保護することができる。
【００４９】
その他、本発明の実施形態では、可動子２３の肩部２５，２７を極盤３１の位置決め面６１，６３，６５，６７に対向させることによって、可動子２３を極盤３１に対し軸方向、径方向へ正確に位置決めることができる。又、磁気センサ２１は可動子３１の凹部３４内に位置決めることができる。従って、永久磁石１９と磁気センサ２１との間の径方向、軸方向における相対位置を正確に位置決めることができる。特に径方向における位置決めによって、永久磁石１９、磁気センサ２１間のクリアランスを正確に保持することができ、直線的な電圧値の出力を正確に維持することができる。
【００５０】
前記永久磁石１９と可動子２３との間は、凹部２０及び凸部２４の嵌合によって周方向へ正確に位置決められ、永久磁石１９の磁気的な境界面７１を基準にした磁気センサ２１に対する配置を正確に維持することができ、正確な検出を長く保持することができる。
【００５１】
前記極盤３１に対する可動子２３の相対回転を凸部２９と凹部６９とのストッパ機能によって規制することができ、正確な検出を維持することができる。
【００５２】
組付けに際しては、極盤３１の本体４７と蓋体４９とが分離され、凹部３７内に樹脂４５が封止される前に、磁気センサ２１を凹部３４に嵌合させる。このとき磁気センサ２１のリード端子３３は、極盤３１側の挿通孔３５を通し、端末３９が凹部３７内に引き出される。この状態において、コネクタ端子４１の端末４３に対し、リード端子３３の端末３９が半田などによって電気的に接続される。次いで凹部３７が樹脂４５によって封止される。
【００５３】
次に、可動子２３が極盤３１の本体４７内に嵌め込まれ、肩部２７が位置決め面６３，６７に支持される。次に、極盤３１の蓋体４９を本体４７に突き当て、可動子２３の肩部２５を位置決め面６１，６５によって支持させる。次に、極盤３１の本体４７と蓋体４９とのフランジ部５０、４８をビス５２によって締結し、双方を一体的に結合する。
【００５４】
このように本発明実施形態のインヒビタスイッチ１は、構造が極めて簡単であり、その組立も極めて容易である。
【００５５】
インヒビタスイッチ１は、前記のようにミッションケース７内に配置される場合、オイルが接合面５１から浸入する恐れがあるものの、極盤３１内に大きなゴミの侵入は無く、磁気センサ２１の検出に支障を招くことはない。
【００５６】
図９，図１０は、第１実施形態の変形例に係る実施形態を示し、図９は全体断面図、図１０は図９のＳＡ−ＳＡ線矢視断面図である。なお上記実施形態と対応する構成部分には同符合を付して説明する。
【００５７】
本実施形態のインヒビタスイッチ１Ａにおいては、永久磁石１９Ａと磁気センサ２１Ａとを軸方向に対向させたものである。すなわち可動子２３Ａにフランジ部７２が周方向に突設され、このフランジ部７２にドーナツ板状の永久磁石１９Ａを支持させている。可動子２３Ａと永久磁石１９Ａとの間の周方向の位置決めは、上記実施形態と同様に凹凸の嵌合によって行うことができる。
【００５８】
磁気センサ２１Ａは、極盤３１Ａの本体４７Ａ内側面に形成された凹部３４Ａに嵌合して固定されている。磁気センサ２１Ａのリード端子３３は、折り曲げて凹部３７側に引き出されている。
【００５９】
そして本実施形態においても、永久磁石１９Ａと磁気センサ２１Ａとの周方向の相対位置の変化により、電圧値の直線的な変化を出力することができ、上記同様な作用効果を奏することができる。
【００６０】
一方、本実施形態においては、永久磁石１９Ａ、磁気センサ２１Ａを軸方向に対向配置するようにしたので、インヒビタスイッチ１Ａを径方向に小型化することができる。
（第２実施形態）
図１１，図１２は本発明の第２実施形態に係り、図１は全体断面図、図１２は図１１のＳＡ−ＳＡ矢視断面図である。なお上記実施形態と対応する構成部分には同符号を付して説明する。
【００６１】
本実施形態のインヒビタスイッチ１Ｂにおいては、磁気センサ２１Ｂを極盤３１Ｂ内にインサート成形により埋設配置したものである。製造に際しては、まず磁気センサ２１Ｂのリード端子３３と、外部接続用のコネクタ端子４１の端末３９，４３を加締め及び高温半田、あるいはスポット溶接などによって電気的に接続する。これら接続された磁気センサ２１Ｂ及びコネクタ端子４１を金型内にセットする。磁気センサ２１Ｂ及びコネクタ端子４１は、金型の一部により位置決め固定される。その後、射出成形を行い、極盤３１Ｂの本体４７Ｂを成形する。
【００６２】
こうすることによって、磁気センサ２１は極盤３１Ｂの本体４７Ｂの壁部に内蔵され、外部雰囲気から遮断されることになる。従って、極盤３１Ｂの本体４７Ｂと蓋体４９との接合部分５１を密閉構造（気密・水密構造）にする必要がなく、組付けがさらに容易となり、また低コスト化を図ることができる。
【００６３】
磁気センサ２１Ｂが外部雰囲気から遮断されるため、インヒビタスイッチ１Ｂがトランスミッションケース７外に配置され、水没状態で使用されたとしても、あるいはトランスミッションケース７内に配置されＡＴＦ浸漬状態などであっても、使用を継続することができる。
【００６４】
磁気センサ２１Ｂの取付けの初期バラツキを低減することができ、取付精度を向上させ、より正確な検出を行うことができる。
（第３実施形態）
図１３〜図１７は本発明の第３実施形態を示している。まず図１３は全体断面図、図１４は図１３のＳＡ−ＳＡ矢視断面図である。なお上記実施形態と対応する構成部分には同符合を付して説明する。
【００６５】
図１３，図１４のように、本実施形態のインヒビタスイッチ１Ｃにおいては、磁気センサ２１Ｃ１，２１Ｃ２が永久磁石１９の磁気的な境界面の数に応じて複数設けられたものである。すなわち、磁気センサ２１Ｃ１、２１Ｃ２が永久磁石１９の磁気的な境界面７１に応じて上下一対設けられたものである。下側の磁気センサ２１Ｃ２の構成は、前記第１実施形態の磁気センサ２１と同様であり、前記極盤３１Ｃにインサート成形によって一体的に支持された外部接続用のコネクタ端子４１Ｃの端末４３Ｃが前記凹部３７内に引き出され、前記リード端子３３の端末３９に半田等によって電気的に接続されている。上側の磁気センサ２１Ｃ１も同様の構成を備え、極盤３１Ｃの凹部３４Ｃに組み付けられ、リード端子３３Ｃは、極盤３１Ｃの挿通孔３５Ｃから極盤３１Ｃの外面に形成された凹部３７Ｃ内に、その端末３９Ｃが引き出されている。又、前記凹部３７Ｃは、エポキシ樹脂、ウレタン樹脂等の樹脂４５Ｃによって封止されている。従って、本実施形態においては、図１３のようにコネクタ端子４１Ｃに対する電気的な接続部分が、極盤３１Ｃの本体４７Ｃの凹部３７，３７Ｃ内での２箇所になっている。
【００６６】
前記コネクタ端子４１Ｃの具体的な形状は図１５の斜視図のようになっている。すなわち上下に位置する接続用の端末７３，４３Ｃが弧部７５によって結合され一体に形成されたものである。このコネクタ端子４１Ｃは、極盤３１Ｃの本体４７Ｃにインサート成形されるもので、弧部７５はブッシュ５９の周りを迂回するように配置されている。
【００６７】
このような磁気センサ２１Ｃ１，２１Ｃ２の回路構成は、図１６のようになっている。すなわち双方のセンサ２１Ｃ１，２１Ｃ２がバッテリに接続する端子７７と、アース端子７９との間に並列に配置され、それぞれのアウトプット端子８１，８３から各磁気センサ２１Ｃ１，２１Ｃ２によって検出した直線的な電圧値の変化を各別に同時に出力することができるようになっている。なお図１６では、電子部品の保護、ノイズ対策などのためにコンデンサ８５，８７，８９，９１，９３、抵抗９５、トライアック９７が設けられている。前記バッテリに接続する端子７７、アース端子７９はコネクタ端子４１Ｃが用いられ、検出信号を出力する各磁気センサ２１Ｃ１、２１Ｃ２のアウトプット端子８１，８３には信号線が接続され、それぞれ別々に信号が取り出されることになる。
【００６８】
前記各磁気センサ２１Ｃ１，２１Ｃ２による電圧値の出力は、図１７のようになっている。このような磁気センサ２１Ｃ１，２１Ｃ２の双方の出力値を同時に見ることによって、両出力値を比較しながらより正確な検出を行うことができる。さらに何れかの磁気センサ２１Ｃ１，２１Ｃ２が故障によって動作しなくなっても、他方の磁気センサ２１Ｃ１，２１Ｃ２が動作している限りは、直線的な電圧値の出力を行うことができ、変速レンジ位置の正確な検出を継続することができる。
【００６９】
なお、上記実施形態では、永久磁石をリング状、あるいはドーナツ板状に形成して配置したが、これを弧状、帯状に形成し、この弧状、帯状の永久磁石に対し磁気センサが相対的に移動する構成にしても、直線的な電圧値の出力が可能であり、同様に正確な変速レンジの検出を行うことができる。但し、帯状の永久磁石の場合は、マニュアルバルブシャフトの回転を変換するなどして磁気センサを永久磁石に沿って直線的に相対移動させる構成とする。前記磁気センサ２１をマニュアルバルブシャフト側に取り付け、永久磁石１９をトランスミッションケース７側に取り付ける構成にすることも可能である。
【図面の簡単な説明】
【図１】本発明の第１実施形態に係るインヒビタスイッチの配置を示す自動変速機の概略断面図である。
【図２】第１実施形態に係り、全体断面図である。
【図３】図２のＳＡ−ＳＡ矢視断面図である。
【図４】第１実施形態に係り、極盤の結合を示す要部側面図である。
【図５】第１実施形態に係り、永久磁石の磁気的な境界面を示す側面図である。
【図６】第１実施形態に係り、永久磁石の回転による出力電圧値の変化を示すグラフである。
【図７】第１実施形態に係り、ストッパの説明図である。
【図８】第１実施形態に係り、変速レンジ位置と出力電圧との関係を示すグラフである。
【図９】第１実施形態の変形例の実施形態に係る全体断面図である。
【図１０】図９のＳＡ−ＳＡ矢視断面図である。
【図１１】本発明の第２実施形態に係る全体断面図である。
【図１２】図１１のＳＡ−ＳＡ矢視断面図である。
【図１３】本発明の第３実施形態に係る全体断面図である。
【図１４】図１３のＳＡ−ＳＡ矢視断面図である。
【図１５】第３実施形態に係り、コネクタ端子の斜視図である。
【図１６】第３実施形態に係り、磁気センサの回路図でる。
【図１７】第３実施形態に係り、回転角と出力電圧値との関係を示すグラフである。
【図１８】従来例に係り、自動変速機の概略図である。
【図１９】従来例に係り、インヒビタスイッチの取付状態における断面図である。
【図２０】従来例に係り、インヒビタスイッチの接点を示す正面図である。
【符号の説明】
１，１Ａ，１Ｂ，１Ｃ  インヒビタスイッチ
３  自動変速機
５  マニュアルバルブシャフト
７  トランスミッションケース
１９  永久磁石
２１，２１Ａ，２１Ｂ，２１Ｃ１，２１Ｃ２  磁気センサ
２３，２３Ａ，  可動子
２９  凸部（ストッパ）
３１Ａ，３１Ｂ，３１Ｃ  極盤
３３，３３Ｃ  リード端子
３７，３７Ｃ  凹部
３９，，３９Ｃ，４３，，４３Ｃ７３  端末
４１，４１Ｃ  コネクタ端子
６９  凹部（ストッパ）
７１  磁気的な境界面
【図１】
0003850199.tif 000002
【図２】
0003850199.tif 000003
【図３】
0003850199.tif 000004
【図４】
0003850199.tif 000005
【図５】
0003850199.tif 000006
【図６】
0003850199.tif 000007
【図７】
0003850199.tif 000008
【図８】
0003850199.tif 000009
【図９】
0003850199.tif 000010
【図１０】
0003850199.tif 000011
【図１１】
0003850199.tif 000012
【図１２】
0003850199.tif 000013
【図１３】
0003850199.tif 000014
【図１４】
0003850199.tif 000015
【図１５】
0003850199.tif 000016
【図１６】
0003850199.tif 000017
【図１７】
0003850199.tif 000018
【図１８】
0003850199.tif 000019
【図１９】
0003850199.tif 000020
【図２０】
0003850199.tif 000021